(57)【要約】【課題】１０面体と構成されて8角柱形状が実現できることによって、一般的な６面体包装用ボックスと差別化されるようにして、包装対象物の価値を高められる１０面体包装ボックスを提供する。【解決手段】 側部摺紙線ａ１、ａ２、ａ３、ａ４、ａ５、ａ６、ａ７によって、連続的に連結される第１、２、３、４、５、６、７、８側板１１、１２、１３、１４、１５、１６、１７、１８と、前記第１側板１１と前記第８側板１８を連結することで、前記側部摺紙線ａ８によって連結される第１貼付部１９と、下部摺紙線ｂ１によって前記第１側板１１の下部側に連結される第１下部側板２１と、下部摺紙線ｂ２によって前記第５側板１５の下部側に連結される第２下部側板２２と、下部摺紙線ｂ３によって前記第２側板１２の下部側に連結されて中間にサブ摺紙線２３ａによって区切られて第２下部側板２２に接着される第２貼付部２３ｂが備えられた第３下部側板２３と、下部摺紙線ｂ４によって前記第６側板１６の下部側に連結されて中間にサブ摺紙線２４ａによって区切られて前記第１下部側板２１に接着される第３貼付部２４ｂが備えられた第４下部側板２４と、前記第１側板１１の上部側に上部摺紙線ｃ１によって連結されてサブ摺紙線３１ａによって区切られるサブ蓋部３１ｂが備えられ、前記サブ蓋部３１ｂに挿入溝３１ｂ'が形成された蓋部３１と、前記第３側板１３の上部側に上部摺紙線ｃ２によって連結されて組立てられる包装ボックスの立体的な形状を保持するようにする第１形状保持板３２と、上部摺紙線ｃ３によって前記第７側板１７の上部側に連結されて組立てられる包装ボックスの立体的な形状を保持するようにする第２形状保持板３３と、上部摺紙線ｃ８によって前記第５側板１５の上部側に連結されてサブ摺紙線３８ａによって区切られて前記挿入溝３１ｂ'に嵌め込まれる挿入部３８ｂが備えられた蓋挿入部３８とを含むことを特徴とする。【選択図】図１
2010535673.tif 000002
【特許請求の範囲】
【請求項１】
側部摺紙線ａ１、ａ２、ａ３、ａ４、ａ５、ａ６、ａ７によって、連続的に連結される第１、２、３、４、５、６、７、８側板１１、１２、１３、１４、１５、１６、１７、１８；
前記第１側板１１と前記第８側板１８を連結することで、前記側部摺紙線ａ８によって連結される第１貼付部１９；
下部摺紙線ｂ１によって前記第１側板１１の下部側に連結される第１下部側板２１；
下部摺紙線ｂ２によって前記第５側板１５の下部側に連結される第２下部側板２２；
下部摺紙線ｂ３によって前記第２側板１２の下部側に連結されて中間にサブ摺紙線２３ａによって区切られて第２下部側板２２に接着される第２貼付部２３ｂが備えられた第３下部側板２３；
下部摺紙線ｂ４によって前記第６側板１６の下部側に連結されて中間にサブ摺紙線２４ａによって区切られて前記第１下部側板２１に接着される第３貼付部２４ｂが備えられた第４下部側板２４；
前記第１側板１１の上部側に上部摺紙線ｃ１によって連結されてサブ摺紙線３１ａによって区切られるサブ蓋部３１ｂが備えられ、前記サブ蓋部３１ｂに挿入溝３１ｂ'が形成された蓋部３１；
前記第３側板１３の上部側に上部摺紙線ｃ２によって連結されて組立てられる包装ボックスの立体的な形状を保持するようにする第１形状保持板３２；
上部摺紙線ｃ３によって前記第７側板１７の上部側に連結されて組立てられる包装ボックスの立体的な形状を保持するようにする第２形状保持板３３；
上部摺紙線ｃ８によって前記第５側板１５の上部側に連結されてサブ摺紙線３８ａによって区切られて前記挿入溝３１ｂ'に嵌め込まれる挿入部３８ｂが備えられた蓋挿入部３８；を含むことを特徴とする１０面体包装ボックス。
【請求項２】
前記第１形状保持板３２の両側のそれぞれにはサブ摺紙線３２ａによって連結されるサブ折りたたみ板３２ｂが形成されており、
前記第２形状保持板３３の両側のそれぞれにはサブ摺紙線３３ａによって連結されるサブ折りたたみ板３３ｂが形成されたことを特徴とする請求項1に記載の１０面体包装ボックス。
【請求項３】
上部摺紙線ｃ４、ｃ５、ｃ６、ｃ７によって前記第２、４、６、８側板１２、１４、１６、１８の上部側に連結されて第１、２形状保持板３２、３３が組立てられる包装ボックスの内側に入らないように支持するサブ上部板３４、３５、３６、３７をさらに含むことを特徴とする請求項１に記載の１０面体包装ボックス。
【請求項４】
側部摺紙線ａ１、ａ２、ａ３、ａ４、ａ５、ａ６、ａ７によって連続的に連結される第１、２、３、４、５、６、７、８側板１１１、１１２、１１３、１１４、１１５、１１６、１１７、１１８；
前記第１側板１１１と第８側板１１８を連結することで、前記側部摺紙線ａ８によって連結される第１貼付部１１９；
下部摺紙線ｂ１によって前記第１側板１１１の下部側に連結される第１下部側板１２１；
下部摺紙線ｂ２によって前記第５側板１１５の下部側に連結される第２下部側板１２２；
下部摺紙線ｂ３によって前記第２側板１１２の下部側に連結されて中間にサブ摺紙線１２３ａによって区切られて前記第２下部側板１２２に接着される第２貼付部１２３ｂが備えられた第３下部側板１２３；
前記第６側板１１６の下部側に下部摺紙線ｂ４によって連結されて中間にサブ摺紙線１２４ａによって区切られて前記第１下部側板１２１に接着される第３貼付部１２４ｂが備えられた第４下部側板１２４；
前記第１側板１１１の上部側に上部摺紙線ｃ１によって連結されてサブ摺紙線１３１ａによって区切られるサブ蓋部１３１ｂが備えられた蓋部１３１；
前記第５側板１１５の上部側に上部摺紙線ｃ２によって連結されて組立てられる包装ボックスの立体的な形状を保持するようにするための形状保持板１３２；を含むことを特徴とする１０面体包装ボックス。
【請求項５】
上部摺紙線ｃ３、ｃ４によって前記第３、７側板１１３、１１７の上部側に連結されて前記蓋部１３１が組立てられる包装ボックスの内側に入らないように支持する第１、２サブ上部板１３３、１３４；および
上部摺紙線ｃ５、ｃ６によって前記第４、６側板１１４、１１６の上部側に連結されて前記蓋部１３１が組立てられる包装ボックスの内側に入らないように支持する第３、４サブ上部板１３５、１３６；をさらに含むことを特徴とする請求項4に記載の１０面体包装ボックス。
【請求項６】
前記形状保持板１３２は、
前記形状保持板１３２の両側のそれぞれに形成されてサブ摺紙線１３２ａによって連結される第１サブ折りたたみ板１３２ｂと、
前記形状保持板１３２の上側に形成されてサブ摺紙線１３２ｃによって連結される第２サブ折りたたみ板１３２ｄと、
前記形状保持板１３２の下部側に形成されてサブ摺紙線１３２ｅによって上部摺紙線ｃ２と連結される第３サブ折りたたみ板１３２ｆを含み、
この時、 前記形状保持板１３２の中央には包装対象物の上端を支持する支持孔１３２ｇが形成され、前記サブ摺紙線１３２ｅの一側には前記サブ蓋部１３１ｂが嵌め込まれる挿入溝１３２ｈが形成されたことを特徴とする請求項4に記載の１０面体包装ボックス。
【請求項７】
側部摺紙線ａ１、ａ２、ａ３、ａ４、ａ５、ａ６、ａ７によって、連続的に連結される第１、２、３、４、５、６、７、８側板２１１、２１２、２１３、２１４、２１５、２１６、２１７、２１８；
前記第１側板２１１と前記第８側板２１８を連結することで、前記側部摺紙線ａ８によって連結される第１貼付部２１９；
下部摺紙線ｂ１によって前記第１側板２１１の下部側に連結される第１下部側板２２１；
下部摺紙線ｂ3によって前記第５側板２１５の下部側に連結される第２下部側板２２２；
下部摺紙線ｂ2によって前記第２側板２１２の下部側に連結されて中間にサブ摺紙線２２３ａによって区切られて前記第２下部側板２２２に接着される第２貼付部２２３ｂが備えられた第３下部側板２２３；
下部摺紙線ｂ４によって前記第６側板２１６の下部側に連結されて中間にサブ摺紙線２４４ａによって区切られて前記第１下部側板２２１に接着される第３貼付部２4４ｂが備えられた第４下部側板２４４；
前記第１側板２１１の上部側に上部摺紙線ｃ１によって連結されてサブ摺紙線２３１ａによって区切られるサブ蓋部２３１ｂが備えられた内部蓋部２３１；
前記第３側板２１３の上部側に上部摺紙線ｃ２によって連結されて組立てられる包装ボックスの立体的な形状を保持するようにする第１形状保持板２３２；
上部摺紙線ｃ３によって前記第７側板２１７の上部側に連結されて組立てられる包装ボックスの立体的な形状を保持するようにする第２形状保持板２３３；および
上部摺紙線ｃ８によって前記第５側板２１５の上部側に連結されてサブ摺紙線２３８ａによって区切られる挿入部２３８ｂが備えられた外部蓋部２３８；を含み、
前記内部蓋部２３１は、折り畳まれた第１、２形状保持板２３２、２３３の上部に覆われ、前記外部蓋部２３８は、前記内部蓋部２３１の上部に覆われることを特徴とする１０面体包装ボックス。
【請求項８】
前記第２形状保持板２３３と第１形状保持板２３２のうちのいずれか一つの上部側には挿入突部板が形成され、前記第２形状保持板２３３と第１形状保持板２３２のうちのいずれか一つの上部側には前記挿入突部板が嵌め込まれる挿入溝が形成されたことを特徴とする請求項7に記載の１０面体包装ボックス。
【請求項９】
前記内部蓋部２３１を連結する上部摺紙線ｃ１には切開溝２３１ｃが形成されており、前記外部蓋部２３８には前記サブ摺紙線２３８ａによって区切られて前記切開溝２３１ｃに嵌め込まれるサブ挿入部２３８bが形成されたことを特徴とする請求項7に記載の１０面体包装ボックス。
【発明の詳細な説明】
【技術分野】
【０００１】
本発明は洋酒瓶のような包装対象物を包装することができる１０面体包装ボックスに関するものであって、より詳しくは8角柱形状を有する１０面体包装ボックスを提供することにある。
【背景技術】
【０００２】
洋酒瓶のような品物は包装された品物の価値を高く示すようにするためにデザインされた包装用ボックスによって包装された状態で流通する。このような包装用ボックスは、殆ど６面体形状で製作されているので４角柱形状を有する。
【０００３】
ところが、洋酒瓶を包装する大部分の包装用ボックスは６面体となっていて、これら６面体包装用ボックスに包装された対象物の価値が差別化されるのに限界があったという問題点があった。
【発明の概要】
【発明が解決しようとする課題】
【０００４】
本発明はこのような問題点を解決するために行われたものとして、１０面体から構成されて8角柱形状が実現できることによって、一般的な６面体包装用ボックスと差別化されるようにして、包装対象物の価値を高められる１０面体包装ボックスを提供することにある。
【０００５】
そして、本発明は、組み立てられた状態で積み重ねられて、大量運搬が可能であると共に保管空間が減らせる１０面体包装ボックスを提供することにある。
【課題を解決するための手段】
【０００６】
前記課題を解決するための手段を後述する実施形態の参照符号を付けて記述すると、
請求項１に記載の発明は、側部摺紙線ａ１、ａ２、ａ３、ａ４、ａ５、ａ６、ａ７によって、連続的に連結される第１、２、３、４、５、６、７、８側板１１、１２、１３、１４、１５、１６、１７、１８と、前記第１側板１１と前記第８側板１８を連結することで、前記側部摺紙線ａ８によって連結される第１貼付部１９と、下部摺紙線ｂ１によって前記第１側板１１の下部側に連結される第１下部側板２１と、下部摺紙線ｂ２によって前記第５側板１５の下部側に連結される第２下部側板２２と、下部摺紙線ｂ３によって前記第２側板１２の下部側に連結されて中間にサブ摺紙線２３ａによって区切られて第２下部側板２２に接着される第２貼付部２３ｂが備えられた第３下部側板２３と、下部摺紙線ｂ４によって前記第６側板１６の下部側に連結されて中間にサブ摺紙線２４ａによって区切られて前記第１下部側板２１に接着される第３貼付部２４ｂが備えられた第４下部側板２４と、前記第１側板１１の上部側に上部摺紙線ｃ１によって連結されてサブ摺紙線３１ａによって区切られるサブ蓋部３１ｂが備えられ、前記サブ蓋部３１ｂに挿入溝３１ｂ'が形成された蓋部３１と、前記第３側板１３の上部側に上部摺紙線ｃ２によって連結されて組立てられる包装ボックスの立体的な形状を保持するようにする第１形状保持板３２と、上部摺紙線ｃ３によって前記第７側板１７の上部側に連結されて組立てられる包装ボックスの立体的な形状を保持するようにする第２形状保持板３３と、上部摺紙線ｃ８によって前記第５側板１５の上部側に連結されてサブ摺紙線３８ａによって区切られて前記挿入溝３１ｂ'に嵌め込まれる挿入部３８ｂが備えられた蓋挿入部３８とを含むことを特徴とする１０面体包装ボックスである。
【０００７】
また、請求項２に記載の発明は、前記第１形状保持板３２の両側のそれぞれにはサブ摺紙線３２ａによって連結されるサブ折りたたみ板３２ｂが形成されており、前記第２形状保持板３３の両側のそれぞれにはサブ摺紙線３３ａによって連結されるサブ折りたたみ板３３ｂが形成されたことを特徴とする１０面体包装ボックスである。
【０００８】
そして、請求項３に記載の発明は、上部摺紙線ｃ４、ｃ５、ｃ６、ｃ７によって前記第２、４、６、８側板１２、１４、１６、１８の上部側に連結されて第１、２形状保持板３２、３３が組立てられる包装ボックスの内側に入らないように支持するサブ上部板３４、３５、３６、３７をさらに含むことを特徴とする１０面体包装ボックスである。
【０００９】
また、請求項４に記載の発明は、側部摺紙線ａ１、ａ２、ａ３、ａ４、ａ５、ａ６、ａ７によって連続的に連結される第１、２、３、４、５、６、７、８側板１１１、１１２、１１３、１１４、１１５、１１６、１１７、１１８と、前記第１側板１１１と第８側板１１８を連結することで、前記側部摺紙線ａ８によって連結される第１貼付部１１９と、下部摺紙線ｂ１によって前記第１側板１１１の下部側に連結される第１下部側板１２１と、下部摺紙線ｂ２によって前記第５側板１１５の下部側に連結される第２下部側板１２２と、下部摺紙線ｂ３によって前記第２側板１１２の下部側に連結されて中間にサブ摺紙線１２３ａによって区切られて前記第２下部側板１２２に接着される第２貼付部１２３ｂが備えられた第３下部側板１２３と、前記第６側板１１６の下部側に下部摺紙線ｂ４によって連結されて中間にサブ摺紙線１２４ａによって区切られて前記第１下部側板１２１に接着される第３貼付部１２４ｂが備えられた第４下部側板１２４と、前記第１側板１１１の上部側に上部摺紙線ｃ１によって連結されてサブ摺紙線１３１ａによって区切られるサブ蓋部１３１ｂが備えられた蓋部１３１と、前記第５側板１１５の上部側に上部摺紙線ｃ２によって連結されて組立てられる包装ボックスの立体的な形状を保持するようにするための形状保持板１３２とを含むことを特徴とする１０面体包装ボックスである。
【００１０】
そして、請求項５に記載の発明は、上部摺紙線ｃ３、ｃ４によって前記第３、７側板１１３、１１７の上部側に連結されて前記蓋部１３１が組立てられる包装ボックスの内側に入らないように支持する第１、２サブ上部板１３３、１３４および上部摺紙線ｃ５、ｃ６によって前記第４、６側板１１４、１１６の上部側に連結されて前記蓋部１３１が組立てられる包装ボックスの内側に入らないように支持する第３、４サブ上部板１３５、１３６をさらに含むことを特徴とする１０面体包装ボックスである。
【００１１】
また、請求項６に記載の発明は、前記形状保持板１３２は、前記形状保持板１３２の両側のそれぞれに形成されてサブ摺紙線１３２ａによって連結される第１サブ折りたたみ板１３２ｂと、前記形状保持板１３２の上側に形成されてサブ摺紙線１３２ｃによって連結される第２サブ折りたたみ板１３２ｄと、前記形状保持板１３２の下部側に形成されてサブ摺紙線１３２ｅによって上部摺紙線ｃ２と連結される第３サブ折りたたみ板１３２ｆを含み、この時、 前記形状保持板１３２の中央には包装対象物の上端を支持する支持孔１３２ｇが形成され、前記サブ摺紙線１３２ｅの一側には前記サブ蓋部１３１ｂが嵌め込まれる挿入溝１３２ｈが形成されたことを特徴とする１０面体包装ボックスである。
【００１２】
そして、請求した７に記載の発明は、側部摺紙線ａ１、ａ２、ａ３、ａ４、ａ５、ａ６、ａ７によって、連続的に連結される第１、２、３、４、５、６、７、８側板２１１、２１２、２１３、２１４、２１５、２１６、２１７、２１８と、前記第１側板２１１と前記第８側板２１８を連結することで、前記側部摺紙線ａ８によって連結される第１貼付部２１９と、下部摺紙線ｂ１によって前記第１側板２１１の下部側に連結される第１下部側板２２１と、下部摺紙線ｂ２によって前記第５側板２１５の下部側に連結される第２下部側板２２２と、下部摺紙線ｂ３によって前記第２側板２１２の下部側に連結されて中間にサブ摺紙線２２３ａによって区切られて前記第２下部側板２２２に接着される第２貼付部２２３ｂが備えられた第３下部側板２２３と、下部摺紙線ｂ４によって前記第６側板２１６の下部側に連結されて中間にサブ摺紙線２４４ａによって区切られて前記第１下部側板２２１に接着される第３貼付部２4４ｂが備えられた第４下部側板２４４と、前記第１側板２１１の上部側に上部摺紙線ｃ１によって連結されてサブ摺紙線２３１ａによって区切られるサブ蓋部２３１ｂが備えられた内部蓋部２３１と、前記第３側板２１３の上部側に上部摺紙線ｃ２によって連結されて組立てられる包装ボックスの立体的な形状を保持するようにする第１形状保持板２３２と、上部摺紙線ｃ３によって前記第７側板２１７の上部側に連結されて組立てられる包装ボックスの立体的な形状を保持するようにする第２形状保持板２３３および上部摺紙線ｃ８によって前記第５側板２１５の上部側に連結されてサブ摺紙線２３８ａによって区切られる挿入部２３８ｂが備えられた外部蓋部２３８を含み、前記内部蓋部２３１は、折り畳まれた第１、２形状保持板２３２、２３３の上部に覆われ、前記外部蓋部２３８は、前記内部蓋部２３１の上部に覆われることを特徴とする１０面体包装ボックスである。
【００１３】
また、請求項８に記載の発明は、前記第２形状保持板２３３と第１形状保持板２３２のうちのいずれか一つの上部側には挿入突部板が形成され、前記第２形状保持板２３３と第１形状保持板２３２のうちのいずれか一つの上部側には前記挿入突部板が嵌め込まれる挿入溝が形成されたことを特徴とする１０面体包装ボックスである。
【００１４】
そして、請求項９に記載の発明は、前記内部蓋部２３１を連結する上部摺紙線ｃ１には切開溝２３１ｃが形成されており、前記外部蓋部２３８には前記サブ摺紙線２３８ａによって区切られて前記切開溝２３１ｃに嵌め込まれるサブ挿入部２３８bが形成されたことを特徴とする１０面体包装ボックスである。
【発明の効果】
【００１５】
このような請求項１乃至９の構成の１０面体包装ボックスは、全体的な体積が小さくなって、一度に大量運搬が可能であり、単位空間に多量の１０面体包装ボックスを保管することができる利点がある。
【００１６】
また、従来の包装用ボックスと根本的なデザインの差別化を可能にして、包装される対象物の価値を高められながら、運搬費用と保管費用が減らせる利点がある。
【図面の簡単な説明】
【００１７】
【図１】本発明に応じた１０面体包装ボックスの第１実施例の斜視図である。
【図２】図１の１０面体包装ボックスの展開図である。
【図３】図１の１０面体包装ボックスの下部側を説明するための図面である。
【図４】図３の１０面体包装ボックスが折り畳まれることを説明するための図面である。
【図５】図１の１０面体包装ボックスの上部側を説明するための図面である。
【図６】本発明による１０面体包装ボックスの第２実施例の斜視図である。
【図７】図６の１０面体包装ボックスの展開図である。
【図８】図１の１０面体包装ボックスの上部側を説明するための図面である。
【図９】本発明による１０面体包装ボックスの第３実施例の展開図である。
【図１０】図９の１０面体包装ボックスの上部側を説明するための図面である。
【図１１】図９の１０面体包装ボックスの上部側を説明するための図面である。
【発明を実施するための形態】
【００１８】
以下、本発明に係わる１０面体包装ボックスの望ましい実施例を詳しく説明する。
本発明による１０面体包装ボックスは、直８角または正８角形態の柱形状を形成するように１０面体を有する。
【００１９】
本願の実施例では直８角柱形状を可能にする１０面体包装ボックスを説明する。
図１は、本発明に応じた１０面体包装ボックスの第１実施例の斜視図であり、図２は、図１の１０面体包装ボックスの展開図であり、図３は、図１の１０面体包装ボックスの下部側を説明するための図面であり、図４は、図３の１０面体包装ボックスが折りたたまれるものを説明するための図面であり、図５は、図１の１０面体包装ボックスの上部側を説明するための図面である。
【００２０】
図１に示されているように、本発明による１０面体包装ボックスの第１実施例の展開図は、側部摺紙線ａ１、ａ２、ａ３、ａ４、ａ５、ａ６、ａ７によって、連続的に連結される第１、２、３、４、５、６、７、８側板１１、１２、１３、１４、１５、１６、１７、１８と、第１側板１１と第８側板１８を連結することで、側部摺紙線ａ８によって連結される第１貼付部１９と、下部摺紙線ｂ１によって第１側板１１の下部側に連結される第１下部側板２１と、下部摺紙線ｂ２によって第５側板１５の下部側に連結される第２下部側板２２と、下部摺紙線ｂ３によって第２側板１２の下部側に連結されて中間にサブ摺紙線２３ａによって区切られて第２下部側板２２に接着される第２貼付部２３ｂが備えられた第３下部側板２３と、下部摺紙線ｂ４によって第６側板１６の下部側に連結されて中間にサブ摺紙線２４ａによって区切られて第１下部側板２１に接着される第３貼付部２４ｂが備えられた第４下部側板２４とを含めて構成される。
【００２１】
また、本発明による１０面体包装ボックスは、第１側板１１の上部側に上部摺紙線ｃ１によって連結されてサブ摺紙線３１ａによって区切られるサブ蓋部３１ｂが備えられ、サブ蓋部３１ｂに挿入溝３１ｂ'が形成された蓋部３１と、第３側板１３の上部側に上部摺紙線ｃ２によって連結されて組立てられる包装ボックスの立体的な形状を保持するようにする第１形状保持板３２と、上部摺紙線ｃ３によって第７側板１７の上部側に連結されて組立てられる包装ボックスの立体的な形状を保持するようにする第２形状保持板３３と、 上部摺紙線ｃ４、ｃ５、ｃ６、ｃ７によって第２、４、６、８側板１２、１４、１６、１８の上部側に連結されて第１、２形状保持板３２、３３が組立てられる包装ボックスの内側に入らないように支持するサブ上部板３４、３５、３６、３７と、上部摺紙線ｃ８によって第５側板１５の上部側に連結されてサブ摺紙線３８ａによって区切られて挿入溝３１ｂ'に嵌め込まれる挿入部３８ｂが備えられた蓋挿入部３８とを含めて構成される。
【００２２】
前記第１下部側板２１と第２下部側板２２は、これら一部分が行き違いに交差する。このような第１下部側板２１には第４下部側板２４の第３貼付部２４ｂが接着される貼付部２１ａが形成されており、第２下部側板２２には第３下部側板２３の第２貼付部２３ｂが接着される貼付部２２ａが形成されている。
【００２３】
前記蓋部３１の上端にはサブ摺紙線３１ａによって連結されるサブ蓋部３１ｂが形成されている。
【００２４】
そして、サブ蓋部３１ｂには挿入溝３１ｂ’が形成されている。
【００２５】
前記第１形状保持板３２の両側のそれぞれにはサブ摺紙線３２ａによって連結されるサブ折りたたみ板３２ｂが形成されており、第２形状保持板３３の両側のそれぞれにはサブ摺紙線３３ａによって連結されるサブ折りたたみ板３３ｂが形成されている。
【００２６】
そして、前記第１形状保持板３２と第２形状保持板３３が折り畳まれて相接する部分には溝部３２ｃと、その溝部３２ｃに結合される溝折りたたみ部３３ｃが形成される。
【００２７】
本願の実施例では、第１形状保持板３２に溝部３２ｃが形成され、第２形状保持板３３に溝折りたたみ部３３ｃが形成されている。前記構造によって、それぞれのサブ摺紙線３２ａ、３３ａによって、サブ折りたたみ板３２ｂ、３３ｂを折り畳んだ後、上部摺紙線ｃ２、ｃ３に対して折り畳むと第１形状保持板３２と第２形状保持板３３の端部は相接するようになって上部から見た時、全体的な形状が８角形の形状になる。
【００２８】
前記構造によって、まず、第１、２、３、４、５、６、７、８側板１１、１２、１３、１４、１５、１６、１７、１８を側部摺紙線ａ１、ａ２、ａ３、ａ４、ａ５、ａ６、ａ７に対して折り畳んだ後、第１貼付部１９を第８側板１８に接着して、全体的に８角形形態の側壁を形成する。
【００２９】
次に、第１下部側板２１と第２下部側板２２を行き違いに交差させた後、第３下部側板２３の第２貼付部２３ｂを第２下部側板２２の貼付部２２ａに接着させ、第４下部側板２４の第３貼付部２４ｂを第１下部側板２１の貼付部２１ａに接着させることによって、底を形成する。
【００３０】
次に、例えば、洋酒瓶のような包装対象物を半組み立て状態の包装ボックスに入れる。
【００３１】
次に、サブ上部板３４、３５、３６、３７を、第２、４、６、８側板１２、１４、１６、１８に対して折り畳んだ後、第１形状保持板３２を上部摺紙線ｃ２に対して折り畳んで、第２形状保持板３３を第７側板１７に対して折り畳む。この時、第１、２形状保持板３２、３３のそれぞれは、サブ摺紙線３２ａ、３３ａに対してサブ折りたたみ板３２ｂ、３３ｂを折り畳んだ後、上部摺紙線ｃ２、ｃ３に対して折り畳む。
【００３２】
次に、蓋挿入部３８を上部摺紙線ｃ８に対して折り畳んで、それから、蓋部３１を上部摺紙線Ｃ１に対して折り畳んだ後、サブ摺紙線３８ａによって区切られる挿入部３８ｂを蓋部３１の挿入溝３１ｂ’に嵌め込むと本願の１０面体包装ボックスの組み立てが完成される。
【００３３】
そして、本発明による１０面体包装ボックスで蓋部３１と第１、２形状保持板３２、３３を開いた状態で側部から押すと図４に示されているように、平たく折りたたまれるようになる。この状態では全体的な体積が小さくなるので、一度に大量運搬が可能であり、また、単位空間に多量の１０面体包装ボックスを保管することができる。
【００３４】
次に、本発明による１０面体包装ボックスの第２実施例を説明する。
図６は、本発明による１０面体包装ボックスの第２実施例の斜視図であり、図７は、図６の１０面体包装ボックスの展開図であり、図８は、図１の１０面体包装ボックスの上部側を説明するための図面である。ここで、図２および図３の図面は第２実施例を説明することに援用される。
【００３５】
図６〜８に示されているように、本発明による１０面体包装ボックスの第２実施例の展開図は、側部摺紙線ａ１、ａ２、ａ３、ａ４、ａ５、ａ６、ａ７によって連続的に連結される第１、２、３、４、５、６、７、８側板１１１、１１２、１１３、１１４、１１５、１１６、１１７、１１８と、第１側板１１１と第８側板１１８を連結することで、側部摺紙線ａ８によって連結される第１貼付部１１９と、下部摺紙線ｂ１によって第１側板１１１の下部側に連結される第１下部側板１２１と、下部摺紙線ｂ２によって第５側板１１５の下部側に連結される第２下部側板１２２と、下部摺紙線ｂ３によって第２側板１１２の下部側に連結されて中間にサブ摺紙線１２３ａによって区切られて第２下部側板１２２に接着される第２貼付部１２３ｂが備えられた第３下部側板１２３と、第６側板１１６の下部側に下部摺紙線ｂ４によって連結されて中間にサブ摺紙線１２４ａによって区切られて第１下部側板１２１に接着される第３貼付部１２４ｂが備えられた第４下部側板１２４とを含めて構成される。つまり、第１、２、３、４、５、６、７、８側板１１１、１１２、１１３、１１４、１１５、１１６、１１７、１１８、第１貼付部１１９、第１下部側板１２１、第２下部側板１２２、第３下部側板１２３および第４下部側板１２４は、第１実施例で説明されたものと実質的に同一である。
【００３６】
また、本発明による１０面体包装ボックスは第１側板１１１の上部側に上部摺紙線ｃ１によって連結されてサブ摺紙線１３１ａによって区切られるサブ蓋部１３１ｂが備えられた蓋部１３１と、第５側板１１５の上部側に上部摺紙線ｃ２によって連結されて組立てられる包装ボックスの立体的な形状を保持するようにするための形状保持板１３２と、上部摺紙線ｃ３、ｃ４によって第３、７側板１１３、１１７の上部側に連結されて蓋部１３１が組立てられる包装ボックスの内側に入らないように支持する第１、２サブ上部板１３３、１３４と、上部摺紙線ｃ５、ｃ６によって第４、６側板１１４、１１６の上部側に連結されて蓋部１３１が組立てられる包装ボックスの内側に入らないように支持する第３、４サブ上部板１３５、１３６とを含めて構成される。
【００３７】
ここで、蓋部１３１の上端にはサブ摺紙線１３１ａによって連結されるサブ蓋部１３１ｂが形成されている。
【００３８】
前記形状保持板１３２は、形状保持板１３２の両側のそれぞれに形成されてサブ摺紙線１３２ａによって連結される第１サブ折りたたみ板１３２ｂと、形状保持板１３２の上側に形成されてサブ摺紙線１３２ｃによって連結される第２サブ折りたたみ板１３２ｄと、形状保持板１３２の下部側に形成されてサブ摺紙線１３２ｅによって上部摺紙線ｃ２と連結される第３サブ折りたたみ板１３２ｆとを含めて構成される。そして、この時、形状保持板１３２の中央には包装対象物の上端、例えば、洋酒瓶の上端を支持する支持孔１３２ｇが形成され、サブ摺紙線１３２ｅの一側にはサブ蓋部１３１ｂが嵌め込まれる挿入溝１３２ｈが形成される。
【００３９】
前記構造によって、まず、第１、２、３、４、５、６、７、８側板１１１、１１２、１１３、１１４、１１５、１１６、１１７、１１８を側部摺紙線ａ１、ａ２、ａ３、ａ４、ａ５、ａ６、ａ７に対して折り畳んだ後、第１貼付部１１９を第８側板１１８に接着して全体的に８角形形態の側壁を形成する。
【００４０】
次に、第１下部側板１２１と第２下部側板１２２を行き違いに交差させた後、第３下部側板１２３の第２貼付部１２３ｂを第２下部側板１２２の貼付部１２２ａに接着させ、第４下部側板１２４の第３貼付部１２４ｂを第１下部側板１２１の貼付部１２１ａに接着させることによって、底を形成する。
【００４１】
次に、洋酒瓶のような包装対象物を半組み立て状態の包装ボックスに入れる。
【００４２】
次に、形状保持板１３２を第５側板１１５に対して折り畳む。この時、形状保持板１３２は、サブ摺紙線１３２ａ、１３２ｃ、１３２ｅに対してサブ折りたたみ板１３２ｂ、１３２ｄ、１３２ｆを折り畳んだ後、洋酒瓶の蓋部分が支持孔１３２ｇに突き出されるように形状保持板１３２を折り畳む。
【００４３】
次に、蓋部３１を上部摺紙線ｃ１に対して折り畳んだ後、サブ蓋部１３１ｂを形状保持板１３２の挿入溝１３２ｈに嵌め込むと本願の１０面体包装ボックスの組み立てが完成される。
【００４４】
そして、本願発明による１０面体包装ボックスにおいて、蓋部１３１と形状保持板１３２を開いた状態で側部から押すと、図４に示されているように平たく折りたたまれるようになる。この状態で全体的な体積が小さくなるので、一度に大量運搬が可能であり、また、単位空間に多量の１０面体包装ボックスを保管することができる。
【００４５】
図９は、本発明による１０面体包装ボックスの第３実施例の展開図であり、図１０および図１１は、図９の１０面体包装ボックスの上部側を説明するための図面である。
【００４６】
図９〜１１に示されているように、本発明による１０面体包装ボックスの第３実施例の展開図は、側部摺紙線ａ１、ａ２、ａ３、ａ４、ａ５、ａ６、ａ７によって、連続的に連結される第１、２、３、４、５、６、７、８側板２１１、２１２、２１３、２１４、２１５、２１６、２１７、２１８と、第１側板２１１と第８側板２１８を連結することで、側部摺紙線ａ８によって連結される第１貼付部２１９と、下部摺紙線ｂ１によって第１側板２１１の下部側に連結される第１下部側板２２１と、下部摺紙線ｂ２によって第５側板２１５の下部側に連結される第２下部側板２２２と、下部摺紙線ｂ３によって第２側板２１２の下部側に連結されて中間にサブ摺紙線２２３ａによって区切られて第２下部側板２２２に接着される第２貼付部２２３ｂを備えられた第３下部側板２２３と、下部摺紙線ｂ４によって第６側板２１６の下部側に連結されて中間にサブ摺紙線２４４ａによって区切られて第１下部側板２２１に接着される第３貼付部２4４ｂが備えられた第４下部側板２４４とを含めて構成される。つまり、第１、２、３、４、５、６、７、８側板２１１、２１２、２１３、２１４、２１５、２１６、２１７、２１８、第１貼付部２１９、第１下部側板２２１、第２下部側板２２２、第３下部側板２２３および第４下部側板２４４は、第１、２実施例で説明されたものと実質的に類似している。
【００４７】
また、本発明による１０面体包装ボックスは、第１側板２１１の上部側に上部摺紙線ｃ１によって連結されてサブ摺紙線２３１ａによって区切られるサブ蓋部２３１ｂが備えられた内部蓋部２３１と、第３側板２１３の上部側に上部摺紙線ｃ２によって連結されて組立てられる包装ボックスの立体的な形状を保持するようにする第１形状保持板２３２と、上部摺紙線ｃ３によって第７側板２１７の上部側に連結されて組立てられる包装ボックスの立体的な形状を保持するようにする第２形状保持板２３３と、第２、４、６、８側板２１２、２１４、２１６、２１８の上部側に上部摺紙線ｃ４、ｃ５、ｃ６、ｃ７に連結されて第１、２形状保持板２３２、２３３が組立てられる包装ボックスの内側に入らないように支持するサブ上部板２３４、２３５、２３６、２３７と、上部摺紙線ｃ８によって第５側板２１５の上部側に連結されてサブ摺紙線２３８ａによって区切られる挿入部２３８ｂが備えられた外部蓋部２３８とをさらに含めて構成される。
【００４８】
前記第２形状保持板２３３と第１形状保持板２３２のうちのいずれか一つの上部側には挿入突部板が形成され、第２形状保持板２３３と第１形状保持板２３２のうちのいずれか一つの上部側には挿入突部板が嵌め込まれる挿入溝が形成される。
【００４９】
本願の実施例では、第２形状保持板２３３の上部側に挿入突部板２３３ａが形成されており、第１形状保持板２３２の上部側に挿入突部板２３３ａが嵌め込まれる挿入溝２３２ａが形成されている。つまり、第２形状保持板２３３と第１形状保持板２３２は、図１０に示されているように、挿入突部板２３３ａが挿入溝２３２ａに嵌め込まれるように上部摺紙線ｃ３、ｃ２に対して折りたたまれるものである。
【００５０】
内部蓋部２３１は、図１１に示されているように、折り畳まれた第１、２形状保持板２３２、２３３の上部に覆われ、外部蓋部２３８は、内部蓋部２３１の上部に覆われる。
【００５１】
一方、内部蓋部２３１を連結する上部摺紙線ｃ１には切開溝２３１ｃが形成されており、外部蓋部２３８にはサブ摺紙線２３８ａによって区切られて切開溝２３１ｃに嵌め込まれる挿入部２３８ｂが形成されている。このような構造によって、図１１に示されているように、挿入部２３８ｂに嵌め込まれるものである。
【００５２】
前記構造の１０面体包装ボックスの第３実施例の組み立て動作は第１、２実施例に類似しているのでそれ以上の詳細な説明は省略する。
【００５３】
以上は、例示的な実施形態を参照して本発明を部分的に開示し、記載したものであるが、当業者は、添付の特許請求の範囲により定められる本発明の精神及び範囲を逸脱することなく、形態及び詳細について種々の変更を実施し得ることを理解されたい。
【００５４】
前述のように本発明の実施例に応じた１０面体包装ボックスは、8角柱形状となるように１０面体を実現することによって、従来の６面体包装用ボックスとデザインの差別化が可能であり、そのために包装される対象物の価値を高められる。
【００５５】
また、本発明の実施例に応じた１０面体包装ボックスは、組み立てられた状態で折り畳むことができて組み立てられた状態で大量運搬が可能であると共に多量を保管することができるので運搬費用と保管費用が減らせる利点がある。
【符号の説明】
【００５６】
１１、１２、１３、１４、１５、１６、１７、１８：  第１、２、３、４、５、６、７、８側板
１９：  第１貼付部
２１：  第１下部側板
２２：  第２下部側板
２３：  第３下部側板
２３ａ：  サブ摺紙線
２３ｂ：  第２貼付部
２４：  第４下部側板
２４ａ：  サブ摺紙線
２４ｂ：  第３貼付部
３１：  蓋部
３１ａ：  サブ摺紙線
３１ｂ：  サブ蓋部
３１ｂ'：  挿入溝
３２：  第１形状保持板
３２ａ：  サブ摺紙線
３２ｂ：  サブ折りたたみ板
３２ｃ：  溝部
３３：  第２形状保持板
３３ａ：  サブ摺紙線
３３ｂ：  サブ折りたたみ板
３３ｃ：  溝折りたたみ部
３４、３５、３６、３７：  サブ上部板
３８：  蓋挿入部
３８ａ：  サブ摺紙線
３８ｂ：  挿入部
１１１、１１２、１１３、１１４、１１５、１１６、１１７、１１８：  第１、２、３、４、５、６、７、８側板
１１９：  第１貼付部
１２１：  第１下部側板
１２２：  第２下部側板
１２３：  第３下部側板
１２３ａ：  サブ摺紙線
１２３ｂ：  第２貼付部
１２４：  第４下部側板
１２４ａ：  サブ摺紙線
１２４ｂ：  第３貼付部
１３１：  蓋部
１３１ａ：  サブ摺紙線
１３１ｂ：  サブ蓋部
１３１ｂ'：  溝
１３２：  形状保持板
１３２ａ：  サブ摺紙線
１３２ｂ：  第１サブ折りたたみ板
１３２ｃ：  サブ摺紙線
１３２ｄ：  第２サブ折りたたみ板
１３２ｅ：  サブ摺紙線
１３２ｆ：  第３サブ折りたたみ板
１３２ｇ：  支持孔
１３２ｈ：  挿入溝
１３３、１３４：  第１、２サブ上部板
１３５、１３６：  第３、４サブ上部板
２１１、２１２、２１３、２１４、２１５、２１６、２１７、２１８：  第１、２、３、４、５、６、７、８側板
２１９：  第１貼付部
２２１：  第１下部側板
２２２：  第２下部側板
２２３：  第３下部側板
２２３ａ：  サブ摺紙線
２２３ｂ：  第２貼付部
２４４：  第４下部側板
２４４ａ：  サブ摺紙線
２４４ｂ：  第３貼付部
２３１：  内部蓋部
２３１ａ：  サブ摺紙線
２３１ｂ：  サブ蓋部
２３１c：  切開溝
２３２：  第１形状保持板
２３２ａ：  挿入溝
２３３：  第２形状保持板
２３３a：  挿入突部板
２３４、２３５、２３６、２３７：  サブ上部板
２３８：  外部蓋部２３８
２３８a：  サブ摺紙線２
２３８b：  挿入部
ａ１、ａ２、ａ３、ａ４、ａ５、ａ６、ａ７、ａ８：  側部摺紙線
ｂ１、ｂ２、ｂ３、ｂ４：  下部摺紙線
ｃ１、ｃ２、ｃ３、ｃ４、ｃ５、ｃ６、ｃ７、ｃ８：  上部摺紙線
【図２】
2010535673.tif 000003
【図１】
2010535673.tif 000004
【図３】
2010535673.tif 000005
【図４】
2010535673.tif 000006
【図５】
2010535673.tif 000007
【図６】
2010535673.tif 000008
【図７】
2010535673.tif 000009
【図８】
2010535673.tif 000010
【図９】
2010535673.tif 000011
【図１０】
2010535673.tif 000012
【図１１】
2010535673.tif 000013
【国際調査報告】
2010535673.tif 000014
2010535673.tif 000015